(57)【要約】【課題】従来の店側が集客と販売促進のため、特定のセールス商品の仕入れ、各種広告宣伝によって、それを図るのではなく、来店客に割引商品の決定を委ねる新規な販売方法である。【解決手段】上面に、印刷面を有するシート材１と、感圧性接着剤２層を介し、下面に剥離紙３とを有するシート本体を設け、前記シート材には、複数の、円形状あるいは非円形状の切り剥がし可能なラベル４を設け、  該ラベルには、値引きする金額、あるいは割合等の表示５を記載し、前記シート材は、複数の異なった色彩で印刷したクーポンシートＸとし、該クーポンシートを持参して顧客が、該シートの発行者が指定する日にちの任意の時間に、自由に商品を選択し、該シートよりラベルを剥がして、選択した商品Ｙに貼り付け、レジ等に持参して精算時にラベルに記載されている金額あるいは割合を個々の商品の通常表示価格より値引きを受ける，スーパーマーケット等における販売方法。【選択図】      図３
2010262204.tif 000002
【特許請求の範囲】
【請求項１】
上面に、印刷面を有するシート材（１）と、感圧性接着剤（２）層を介し、下面に剥離紙（３）とを有するシート本体を設け、前記シート材（１）には、複数の、円形状あるいは非円形状の切り剥がし可能なラベル（４）を設け、  該ラベル（４）には、値引きする金額、あるいは割合等の表示（５）を記載し、前記シート材（１）は、複数の異なった色彩で印刷したクーポンシート（Ｘ）とし、該クーポンシートを持参して顧客が、該シートの発行者が指定する日にちの任意の時間に、自由に商品を選択し、該シート（Ｘ）よりラベル（４）を剥がして、選択した商品（Ｙ）に貼り付け、レジ等に持参して精算時にラベル（４）に記載されている金額あるいは割合を個々の商品の通常表示価格より値引きを受けることを特徴とするスーパーマーケット等における販売方法。
【請求項２】
上面に、印刷面を有するシート材（１）と、感圧性接着剤（２）層を介し、下面に剥離紙（３）とを有するシート本体を設け、前記シート材（１）には、複数の、円形状あるいは非円形状の切り剥がし可能なラベル（４）を設け、  該ラベル（４）には、値引きする金額、あるいは割合等の表示（５）を記載し、前記シート材（１）は、複数の異なった色彩で印刷したクーポンシート（Ｘ）とし、該クーポンシートを持参して顧客が、該シートの発行者が指定する日にちの任意の時間に、自由に商品を選択し、該シート（Ｘ）よりラベル（４）を剥がして、選択した商品（Ｙ）に貼り付け、レジ等に持参して精算時にラベル（４）に記載されている金額あるいは割合を個々の商品の通常表示価格より値引きを受け、かつ、クーポンシート（Ｘ）と／あるいは、剥離紙（３）に、バーコード、或いはＱＲコード等の情報記号（６）を印刷し、該情報に基づいて、データ収集を行うことを特徴とするスーパーマーケット等における販売方法。
【請求項３】
クーポンシート（Ｘ）、あるいは剥離紙（３）に、バーコード、或いはＱＲコード等の情報記号（６）を印刷し、スキャナー等の電子機器を使用することにより、各種の抽選機能を設けることを特徴とする請求項１または２記載のスーパーマーケット等における販売方法。
【発明の詳細な説明】
【技術分野】
【０００１】
この発明は、スーパーマーケット等における販売方法に関するものである。
【背景技術】
【０００２】
従来、食料品を主に扱うスーパーマーケット等においては、集客のための手段として特定日による値引き特売が主たるセールとなっている。
【０００３】
そして、その為に、セール用商品を特別に仕入れ、その告知と集客のためのチラシ等の制作、新聞折り込み、テレビコマーシャル等を実施し、売上の促進を図っている。
【０００４】
しかし、この場合、店側は告知のための制作物の制作のために、セール実施のかなり以前から、特売商品の仕入れ、各種告知のための準備にあたらねばならない。この作業は大変に複雑であり、また、そのための経費、労力も非常に多くのものを必要としている。
【先行技術文献】
【特許文献】
【０００５】
【特許文献１】なし
【発明の概要】
【発明が解決しようとする課題】
【０００６】
そのため、従来のように、店側が、セール用商品を特別に仕入れ、その告知と集客のためのチラシ等の制作、新聞折り込み、テレビコマーシャル等を実施するのではなく、通常の店頭商品によって、割引特売セールを可能にし、セールに係る経費、労力の削減を可能にするクーポンシートおよびその運用方法を開発するものである。
【課題を解決するための手段】
【０００７】
そこで、この発明は、店舗来店客を対象に、事前に店側において使用可能日と割引する金額を定め、明記した剥離可能な複数枚のシールを印刷したクーポンシートを発行、配布する。来店客はこのクーポンシートを発行者が指定する利用可能日に発行者の定める利用方法によって、利用することにより従来の割引特売のセールと同様のサービスの提供を受けることを可能にするものである。
【発明の効果】
【０００８】
この発明によると、
１）  店側は、一部商品を除く、店内ほとんどの通常展示商品を対象にすることが可能になり、セール用商品を特別に仕入れ、その告知と集客のためのチラシ等の制作、新聞折り込み、テレビコマーシャル等のための経費、労力を大幅に削減することが可能になり、極めて有益なる効果を奏する。
２）  来店客は自由に自分の好きな商品を割引商品として選ぶことが可能になる。
３）  特別な商品仕入れ等を必要としないことにより、売れ残り商品の廃棄等もなくすことが可能になり、環境保全の観点からも極めて有益なる効果を有する。
４）  さらに、バーコード、ＱＲコード等の情報記号を活用することにより、販売戦略を立案しやすくなる等極めて有益なる効果を奏する。
【図面の簡単な説明】
【０００９】
【図１】この発明に使用するクーポンシートの一実施例を示す平面図である。
【図２】この発明に使用するクーポンシートの一実施例を示す断面図である。
【図３】この発明に使用するクーポンシートの一実施例を示し、一部切り欠き状態を示す平面図である。
【図４】この発明に使用するクーポンシートの使用状態を示す斜視図である。
【発明を実施するための形態】
【００１０】
以下、本発明について詳細に説明する。なお、本発明においては、以下の記述に限定されるものではなく、本発明の要旨を逸脱しない範囲においては適宜変更可能である。
【実施例】
【００１１】
本発明の一実施例を図面に基づいて詳述すると、上面に、印刷面を有するシート材（１）と、感圧性接着剤（２）層を介し、下面に剥離紙（３）とを有するシート本体を設け、前記シート材（１）には、複数の、円形状あるいは非円形状の切り剥がし可能なラベル（４）を設け、  該ラベル（４）には、値引きする金額、あるいは割合等の表示（５）を記載し、前記シート材（１）は、複数の異なった色彩で印刷したクーポンシート（Ｘ）とし、該クーポンシートを持参して顧客が、該シートの発行者が指定する日にちの任意の時間に、自由に商品を選択し、該シート（Ｘ）よりラベル（４）を剥がして、選択した商品（Ｙ）に貼り付け、レジ等に持参して精算時にラベル（４）に記載されている金額あるいは割合を個々の商品の通常表示価格より値引きを受けることを特徴とするスーパーマーケット等における販売方法からなるものである。
【００１２】
そして、バーコード、或いはＱＲコード等の情報記号（６）は、図３に示すように、クーポンシート（Ｘ）、あるいは、剥離紙（３）に印刷しておくことにより、該情報に基づいて、データ収集を行うことのできるスーパーマーケット等における販売方法である。
【００１３】
さらに、クーポンシート（Ｘ）、あるいは剥離紙（３）に、バーコード、或いはＱＲコード等の情報記号（６）を印刷し、スキャナー等の電子機器を使用することにより、各種の抽選機能を設けることのできるスーパーマーケット等における販売方法である。
【００１４】
また、各切り取りラベル（４）は、予め、シート材（１）より、カットされており、感圧性接着剤（２）層を介し、下面に剥離紙（３）に貼り付けられているものである。
【００１５】
そして、切り取りラベル（４）は、円形状あるいは非円形状であり、非円形状とは、円形以外の、楕円状、矩形状、多角形状等のすべての形状をいうものである。
【産業上の利用可能性】
【００１６】
この発明のよると、スーパーマーケット等における販売方法の技術を確立し、それに基づいて大量に製造・使用・販売することにより、産業上の利用可能性があるものである。
【符号の説明】
【００１７】
１  シート材
２  剥離紙
３  感圧接着剤
４  切り取り部
５  情報記号
Ｘ  クーポンシート
Ｙ  商品
【図１】
2010262204.tif 000003
【図２】
2010262204.tif 000004
【図３】
2010262204.tif 000005
【図４】
2010262204.tif 000006